(57)【特許請求の範囲】
【請求項１】
インストルメントパネルの上面部に設けられた第１のバッグ膨出用開口部と、
インストルメントパネルの後面部に設けられた第２のバッグ膨出用開口部と、
インストルメントパネル内において第１のバッグ膨出用開口部及び第２のバッグ膨出用開口部の双方に連通する位置に配置され、かつ円柱形状に形成されると共に軸方向の一方の端部側に複数のガス噴出孔が形成され、作動することによりガス噴出孔からガスを噴出する共通のインフレータと、
モジュールケースの底壁部に固定されると共にインフレータよりも一回り大きい有底円筒形状に形成され、かつ内部に挿入されたインフレータから噴出されたガスを第１のバッグ膨出用開口部側へ導く第１の整流用開口部を第１のバッグ膨出用開口部と対向する位置に備えると共に、当該ガスを第２のバッグ膨出用開口部側へ導く第２の整流用開口部を第２のバッグ膨出用開口部と対向する位置に備えた整流手段と、
インストルメントパネル内に折り畳み状態で格納され、第１のバッグ膨出用開口部から膨出して展開される頭部・胸部保護用バッグと、第２のアバッグ膨出用開口部から膨出して展開される膝部保護用バッグとを有し、共通のインフレータから噴出されたガスによって膨張展開する助手席用エアバッグと、
を有し、
前記第１の整流用開口部よりも前記第２の整流用開口部の方を前記ガス噴出孔に近接して配置すると共に、当該ガス噴出孔、当該第２の整流用開口部、及び前記第２のバッグ膨出用開口部の三者を当該ガス噴出孔からのガス噴出方向に対向するように配置した、
ことを特徴とする膝部保護用バッグ一体型助手席用エアバッグ装置。
【請求項２】
前記モジュールケースは、インストルメントパネル内において第１のバッグ膨出用開口部及び第２のバッグ膨出用開口部の双方に連通する位置に配置されると共に、上面側が開放された箱体形状に形成されており、更に後壁部に前記第２のバッグ膨出用開口部と連通された膝部保護用バッグの膨出用開口部が形成されている、
ことを特徴とする請求項１記載の膝部保護用バッグ一体型助手席用エアバッグ装置。
【請求項３】
前記第２の整流用開口部の開口面積の方が、前記第１の整流用開口部の開口面積よりも小さく設定されている、
ことを特徴とする請求項１又は請求項２記載の膝部保護用バッグ一体型助手席用エアバッグ装置。
【発明の詳細な説明】
【技術分野】
【０００１】
本発明は、頭部・胸部保護用バッグの他に膝部保護用バッグを備えた膝部保護用バッグ一体型助手席用エアバッグ装置に関する。
【背景技術】
【０００２】
下記特許文献１には、ニーエアバッグ一体型の助手席用エアバッグ装置が開示されている。簡単に説明すると、助手席用エアバッグ装置のエアバッグ本体の下部側に小型のサブバッグを一体に形成し、エアバッグ本体が膨張展開した際にサブバッグにもガスが流入されることにより、サブバッグがインストルメントパネルと乗員の膝部との間で膨張展開するようになっている。これにより、インフレータを共通化でき、コストダウンを図ることができる。
【特許文献１】実開平０７−１７６６２号公報
【発明の開示】
【発明が解決しようとする課題】
【０００３】
しかしながら、上記先行技術による場合、以下の点において改良の余地がある。
【０００４】
すなわち、上記先行技術による場合、助手席用エアバッグの展開方向が概ね車両後方側であるのに対し、助手席用エアバッグの下部から展開するニーエアバッグの展開方向は略車両下方側と直角に近い関係にあるので、先に助手席用エアバッグが膨張してからニーエアバッグが膨張して展開することになる。すなわち、ニーエアバッグの展開が助手席用エアバッグの展開よりも遅れる。しかし、着座状態の乗員の膝とインストルメントパネルとの距離は近いことから、ニーエアバッグを助手席用エアバッグよりも早期に展開させることが望ましい。従って、この点において、上記先行技術は改良の余地がある。
【０００５】
本発明は上記事実を考慮し、助手席に着座している乗員の保護性能を飛躍的に向上させることができる膝部保護用バッグ一体型助手席用エアバッグ装置を得ることが目的である。
【課題を解決するための手段】
【０００６】
請求項１記載の本発明に係る膝部保護用バッグ一体型助手席用エアバッグ装置は、インストルメントパネルの上面部に設けられた第１のバッグ膨出用開口部と、インストルメントパネルの後面部に設けられた第２のバッグ膨出用開口部と、インストルメントパネル内において第１のバッグ膨出用開口部及び第２のバッグ膨出用開口部の双方に連通する位置に配置され、かつ円柱形状に形成されると共に軸方向の一方の端部側に複数のガス噴出孔が形成され、作動することによりガス噴出孔からガスを噴出する共通のインフレータと、モジュールケースの底壁部に固定されると共にインフレータよりも一回り大きい有底円筒形状に形成され、かつ内部に挿入されたインフレータから噴出されたガスを第１のバッグ膨出用開口部側へ導く第１の整流用開口部を第１のバッグ膨出用開口部と対向する位置に備えると共に、当該ガスを第２のバッグ膨出用開口部側へ導く第２の整流用開口部を第２のバッグ膨出用開口部と対向する位置に備えた整流手段と、インストルメントパネル内に折り畳み状態で格納され、第１のバッグ膨出用開口部から膨出して展開される頭部・胸部保護用バッグと、第２のアバッグ膨出用開口部から膨出して展開される膝部保護用バッグとを有し、共通のインフレータから噴出されたガスによって膨張展開する助手席用エアバッグと、を有し、前記第１の整流用開口部よりも前記第２の整流用開口部の方を前記ガス噴出孔に近接して配置すると共に、当該ガス噴出孔、当該第２の整流用開口部、及び前記第２のバッグ膨出用開口部の三者を当該ガス噴出孔からのガス噴出方向に対向するように配置した、ことを特徴としている。
【０００７】
請求項２記載の本発明は、請求項１記載の膝部保護用バッグ一体型助手席用エアバッグ装置において、前記モジュールケースは、インストルメントパネル内において第１のバッグ膨出用開口部及び第２のバッグ膨出用開口部の双方に連通する位置に配置されると共に、上面側が開放された箱体形状に形成されており、更に後壁部に前記第２のバッグ膨出用開口部と連通された膝部保護用バッグの膨出用開口部が形成されている、ことを特徴としている。
【０００８】
請求項３記載の本発明は、請求項１又は請求項２記載の膝部保護用バッグ一体型助手席用エアバッグ装置において、前記第２の整流用開口部の開口面積の方が、前記第１の整流用開口部の開口面積よりも小さく設定されている、ことを特徴としている。
【０００９】
請求項１記載の本発明によれば、前面衝突時になると、共通のインフレータが作動してガス噴出孔からガスが噴出される。噴出されたガスは、モジュールケースの底壁部に固定されインフレータよりも一回り大きい有底円筒形状の整流手段によって整流される。すなわち、ガスの多くは第１のバッグ膨出用開口部と対向する位置に設けられた第１の整流用開口部から第１のバッグ膨出用開口部へ導かれ、ガスの残りは第２のバッグ膨出用開口部と対向する位置に設けられた第２の整流用開口部から第２のバッグ膨出用開口部へ導かれる。これにより、インストルメントパネル内に折り畳み状態で格納されていた助手席用エアバッグが膨張して展開される。具体的には、インストルメントパネルの上面部に設けられた第１のバッグ膨出用開口部から頭部・胸部保護用バッグが膨出され、助手席に着座する乗員の頭部・胸部へ向けて展開される。また、これとは別に、第２のバッグ膨出用開口部から膝部保護用バッグが膨出され、助手席に着座する乗員の膝とインストルメントパネルの後面部との隙間に展開される。
【００１０】
ここで、本発明では、整流手段に設けた第１の整流用開口部よりも第２の整流用開口部の方をインフレータのガス噴出孔に近接して配置すると共に、当該ガス噴出孔、当該第２の整流用開口部、及び第２のバッグ膨出用開口部の三者を当該ガス噴出孔からのガス噴出方向に対向するように配置したので、膝部保護用バッグが頭部・胸部保護用バッグに先行して展開される。従って、最初に膝部保護用バッグで乗員の膝をしっかりと拘束して乗員の挙動を安定させ、続いて頭部・胸部保護用バッグで乗員の頭部・胸部を受け止めることができる。
【００１１】
また、本発明によれば、インフレータが円柱形状に形成されており、その軸方向の一方の端部側に複数のガス噴出孔が形成されている。従って、ガスはインフレータの軸方向の一方の端部側から噴出されることになる。
【００１２】
本発明では、上記構成のインフレータのようにガスの噴出位置がインフレータに対して片寄った位置或いは非対称な位置にある場合においても、インフレータのガス噴出孔の位置を基準としてこれに近接した位置に整流手段の第２の整流用開口部を配置したので、インフレータの形式や構造に拘わらず、上述した膝部保護用バッグの先行展開を担保することができる。
【００１３】
請求項３記載の本発明によれば、第２の整流用開口部の開口面積の方を、第１の整流用開口部の開口面積よりも小さく設定したので、以下の作用が得られる。
【００１４】
すなわち、一般に膝部保護用バッグの方が頭部・胸部保護用バッグよりも容量が小さくなるが、前記のように開口面積の大小関係を設定しておけば、バッグの容量に応じた開口面積の設定が可能となり、膝部保護用バッグの先行展開を確保しつつ、共通のインフレータのガス発生量を効率良く利用することができる。
【発明の効果】
【００１５】
以上説明したように、請求項１記載の本発明に係る膝部保護用バッグ一体型助手席用エアバッグ装置は、整流手段の第１の整流用開口部よりも第２の整流用開口部の方をインフレータのガス噴出孔に近接して配置すると共に、当該ガス噴出孔、当該第２の整流用開口部、及び第２のバッグ膨出用開口部の三者を当該ガス噴出孔からのガス噴出方向に対向するように配置したので、膝部保護用バッグを頭部・胸部保護用バッグに先行して展開させることができ、その結果、助手席に着座している乗員の保護性能を飛躍的に向上させることができるという優れた効果を有する。
【００１６】
さらに、請求項１記載の本発明に係る膝部保護用バッグ一体型助手席用エアバッグ装置は、円柱形状に形成されかつ軸方向の一方の端部側に複数のガス噴出孔が形成されたインフレータに対しても、膝部保護用バッグの先行展開を担保することができ、助手席に着座している乗員の保護性能を飛躍的に向上させるという所期の目的を達成することができるという優れた効果を有する。
【００１７】
請求項３記載の本発明に係る膝部保護用バッグ一体型助手席用エアバッグ装置は、第２の整流用開口部の開口面積の方を、第１の整流用開口部の開口面積よりも小さく設定したので、膝部保護用バッグの先行展開を確保しつつ、インフレータの有効利用率を高めてインフレータの小型軽量化及びコスト削減を図ることができるという優れた効果を有する。
【発明を実施するための最良の形態】
【００１８】
以下、図１〜図３を用いて、本発明に係る膝部保護用バッグ一体型助手席用エアバッグ装置の一実施形態について説明する。なお、これらの図において適宜示される矢印ＦＲは車両前方側を示しており、矢印ＵＰは車両上方側を示しており、矢印ＩＮは車両幅方向内側を示している。
【００１９】
図２には、本実施形態に係る膝部保護用バッグ一体型助手席用エアバッグ装置１０の全体構成の側面図が示されている。また、図１には、当該膝部保護用バッグ一体型助手席用エアバッグ装置１０の要部に係るインフレータ２６及びディフューザ２８を拡大した分解斜視図が示されている。さらに、図３には、当該インフレータ２６及びディフューザ２８の組付状態の平面図が示されている。
【００２０】
これらの図に示されるように、助手席１２の車両前方側には、車両用内装部材であるインストルメントパネル１４が配設されている。このインストルメントパネル１４内の助手席１２と対向する側には、膝部保護用バッグ一体型助手席用エアバッグ装置１０が配設されている。
【００２１】
インストルメントパネル１４の上面部１４Ａは略水平に配置されており、頭部・胸部保護用バッグ１６が膨出される平面視で略矩形状の第１のバッグ膨出用開口部１８が形成されている。また、インストルメントパネル１４の後面部１４Ｂは略垂直に配置されており、膝部保護用バッグ２０が膨出される正面視で（乗員側から見て）略矩形状の第２のバッグ膨出用開口部２２が形成されている。なお、図示は省略するが、第１のバッグ膨出用開口部１８及び第２のバッグ膨出用開口部２２には、所定のバッグ膨張圧で破断して展開するエアバッグドアがそれぞれ配設されている。
【００２２】
上述した第１のバッグ膨出用開口部１８と第２のバッグ膨出用開口部２２とを連通する位置には、箱体形状のモジュールケース２４が配設されている。図１に示されるように、モジュールケース２４の上面側は開放されており、その開口部３８の前側２／３程度が第１のバッグ膨出用開口部１８と対向した状態で連通されている。さらに、モジュールケース２４の後壁部２４Ａには膝部保護用バッグ２０の膨出用開口部４０が形成されている。
【００２３】
また、上記構成のモジュールケース２４の底壁部２４Ｂにおける前後方向中間部には、前面衝突時にガスを噴出するインフレータ２６及び整流手段としての略円筒形状のディフューザ（リテーナ）２８が配設されている。これらのインフレータ２６及びディフューザ２８の周囲には、助手席用エアバッグ３０（図２参照）が折り畳み状態で格納されている。
【００２４】
図２に示されるように、助手席用エアバッグ３０は頭部・胸部保護用バッグ１６と膝部保護用バッグ２０とを含んで構成されており、本実施形態では、これらの頭部・胸部保護用バッグ１６及び膝部保護用バッグ２０が一つのバッグによって構成されている。つまり、助手席用エアバッグ３０の一部（大半）を頭部・胸部保護用バッグ１６として利用し、他の一部（残りの部分）を膝部保護用バッグ２０として利用するようになっている。
【００２５】
図１及び図３に示されるように、インフレータ２６は円柱形状に形成されており、車両幅方向が軸方向となるようにモジュールケース２４内に配設されるようになっている。また、インフレータ２６の先端部（軸方向の一端部）には、インフレータ２６の本体外径よりも小径とされた円筒状の突出部２６Ａが形成されている。この突出部２６Ａの周壁部には、周方向に複数のガス噴出孔３２が所定の間隔で形成されている。なお、本実施形態では、一例としてインフレータ２６の突出部２６Ａの全周に亘って１列にガス噴出孔３２が形成されているが、２列に形成されていてもよいし、他の配列パターンで形成されていてもよい。
【００２６】
上記インフレータ２６の内部には高圧ガスが封入されている。また、インフレータの軸芯部にはスクイブ（点火装置）が配設されており、車体前部及び車体中央に配設された図示しないエアバッグセンサによって前面衝突状態が検知されて、車体中央に配設された図示しないエアバッグＥＣＵによって「エアバッグ作動」と判断された場合に、インフレータ２６が作動してスクイブに通電されるようになっている。スクイブに通電されると、高圧ガスを隔成していた部材が破断してガス噴出孔３２からガスが発生するようになっている。なお、本実施形態では、軸方向の先端部に突出部２６Ａが形成された高圧ガス封入タイプのインフレータ２６を使用したが、これに限らず、ガス発生剤充填タイプのインフレータを使用することも可能である。
【００２７】
一方、図１に示されるように、ディフューザ２８はインフレータ２６よりも一回り大きい有底円筒形状に形成されており、本実施形態では金属製とされている。前述したモジュールケース２４の底壁部２４Ｂの中央部には、ディフューザ２８を下方側から装着できるように平面視で矩形状の開口４２が形成されている。さらに、モジュールケース２４の左右一対の側壁部２４Ｃには、ディフューザ２８を下方側から装着できるように半円形状の切欠４４がそれぞれ形成されている。そして、これらの開口４２及び左右一対の切欠４４を使って、円筒形状のディフューザ２８が下方側から装着され、溶接等によってモジュールケース２４に一体的に取り付けられている。
【００２８】
上記ディフューザ２８の車両幅方向内側の端部は閉止されているが、車両幅方向外側の端部はインフレータ２６が挿入可能なように開放されている。この開放端部の内周面には雌ねじ４６が形成されており、又インフレータ２６の軸方向の他端部側（突出部２６Ａが形成される側と反対側の端部）の外周面には雄ねじ４８が形成されている。そして、インフレータ２６の軸方向の他端部にキャップ５０が被嵌されて、内側の雌ねじ５２（図３参照）がインフレータ２６の雄ねじ４８に螺合されることにより、キャップ５０がインフレータ２６に固定されている。さらに、インフレータ２６にキャップ５０が固定された状態で、インフレータ２６がディフューザ２８内へ挿入されてキャップ５０の外側の雄ねじ５４がディフューザ２８の雌ねじ４６に螺合されることにより、インフレータ２６がディフューザ２８内に挿入された状態で固定されている。
【００２９】
この状態では、キャップ５０によってディフューザ２８の車両幅方向外側の端部が閉塞され、後述する第１整流用開口部３４及び第２整流用開口部３６以外からはガスが噴出されないようにシールされる構造となっている。その意味では、上記キャップ５０は広義には「シール材」又は「シール機能を有する固定手段」として把握される要素である。但し、このシール構造はあくまでも一例であるので、他の構成を適用することも当然可能である。
【００３０】
なお、図３に示されるように、本実施形態では、ディフューザ２８の軸方向寸法よりもインフレータ２６の軸方向寸法の方が長く設定されているため、インフレータ２６のディフューザ２８への組付後の状態では、インフレータ２６の軸方向の他端部がディフューザ２８から突出した状態となるが、ディフューザ２８の軸方向寸法とインフレータ２６の軸方向寸法とが略同一になるようにしてもよい。
【００３１】
また、図１に示されるように、上記構成のディフューザ２８の上部２８Ａ（即ち、モジュールケース２４の底壁部２４Ｂよりも上側に位置する部分であり、モジュールケース２４内に露出された部分）の上端側（キャップ５０寄りの位置）には、平面視で矩形状の第１整流用開口部３４が形成されている。この第１整流用開口部３４は、前述した第１のバッグ膨出用開口部１８に対向して配置されている。また、ディフューザ２８の上部２８Ａの後端側でかつインフレータ２６の突出部２６Ａに近接する位置には、正面視で（乗員側から見て）矩形状の第２整流用開口部３６が形成されている。この第２整流用開口部３６は、前述した第２のバッグ膨出用開口部２２に対向して配置されている。
【００３２】
すなわち、本実施形態では、ディフューザ２８の上部２８Ａに頭部・胸部保護用バッグ１６内へガスを導くために第１整流用開口部３４を形成し、又膝部保護用バッグ２０内へガスを導くように第２整流用開口部３６を形成しているが、インフレータ２６のガス噴出孔３２がインフレータ２６の軸方向の一端部側（突出部２６Ａ）に集中して配置されることから、膝部保護用バッグ２０内へガスを供給する第２整流用開口部３６をインフレータ２６の突出部２６Ａに対向しかつ近接した位置に配置し、頭部・胸部保護用バッグ１６内へガスを供給する第１整流用開口部３４をインフレータ２６の突出部２６Ａのガス噴出孔３２から離れた位置に配置する構成を採っている。
【００３３】
また、開口面積としては、第１整流用開口部３４の開口面積の方が、第２整流用開口部３６の開口面積よりも大きくなるように設定されている。一例として本実施形態では、「第１整流用開口部３４の開口面積Ｓ１：第２整流用開口部３６の開口面積Ｓ２＝９：１乃至８：２」程度となるように設定されている。従って、インフレータ２６のガス噴出孔３２から噴出されたガスの大半が第１整流用開口部３４から頭部・胸部保護用バッグ１６内へ流入され、ガスの残りが第２整流用開口部３６から膝部保護用バッグ２０内へ流入される構成である。
【００３４】
（本実施形態の作用並びに効果）
【００３５】
次に、本実施形態の作用並びに効果について説明する。
【００３６】
前面衝突時になると、エアバッグセンサによって前面衝突状態が検知され、エアバッグＥＣＵに検知信号が入力される。エアバッグＥＣＵでは膝部保護用バッグ一体型助手席用エアバッグ装置１０を作動させるべきか否かが判断され、作動させるべきと判断すると、インフレータ２６のスクイブに所定の電流が通電される。これにより、インフレータ２６が作動して突出部２６Ａのガス噴出孔３２からガスが噴出される。噴出されたガスはインフレータ２６の周囲に配置されたディフューザ２８によって整流される。すなわち、ガスの一部はディフューザ２８の第２整流用開口部３６から膝部保護用バッグ２０内へ流入される。また、ガスの大半は第１整流用開口部３４から頭部・胸部保護用バッグ１６内へ流入される。
【００３７】
これにより、インストルメントパネル１４のモジュールケース２４内に折り畳み状態で格納されていた助手席用エアバッグ３０が膨張して展開される。具体的には、インストルメントパネル１４の上面部に設けられた第１のバッグ膨出用開口部１８からは、頭部・胸部保護用バッグ１６が膨出されて、助手席に着座する乗員の頭部・胸部へ向けて展開される。また、これとは別に、第２のバッグ膨出用開口部２２からは、膝部保護用バッグ２０が膨出され、助手席１２に着座する乗員の膝とインストルメントパネル１４の後面部１４Ｂとの間の隙間に展開される。
【００３８】
ここで、本実施形態では、ディフューザ２８に設けた第１整流用開口部３４よりも第２整流用開口部３６の方をインフレータ２６のガス噴出孔３２に近接して配置したので、膝部保護用バッグ２０が頭部・胸部保護用バッグ１６に先行して展開される。従って、最初に膝部保護用バッグ２０で乗員の膝をしっかりと拘束して乗員の挙動を安定させ、続いて頭部・胸部保護用バッグ１６で乗員の頭部・胸部を受け止めることができる。その結果、本実施形態によれば、助手席１２に着座している乗員の保護性能を飛躍的に向上させることができる。
【００３９】
また、本実施形態では、ガスボンベタイプのインフレータ２６を使用しているため、ガスが軸方向の一端部側から噴出される（別の言い方をすれば、一般にガスボンベタイプのインフレータでは、軸方向の一端部側からガスが噴出されるようになっていることが多い。）。換言すれば、ガスの噴出位置がインフレータ２６に対して片寄った位置或いは非対称な位置にある。このような場合においても、インフレータ２６のガス噴出孔３２の位置を基準としてこれに近接した位置にディフューザ２８の第２整流用開口部３６を配置したので、このようなガスボンベタイプのインフレータ２６に対しても、上述した膝部保護用バッグ２０の先行展開を担保することができる。その結果、助手席１２に着座している乗員の保護性能を飛躍的に向上させるという所期の目的を達成することができる。
【００４０】
さらに、本実施形態では、第２整流用開口部３６の開口面積の方を、第１整流用開口部３４の開口面積よりも小さく設定したので、以下の作用が得られる。すなわち、一般に膝部保護用バッグ２０の方が頭部・胸部保護用バッグ１６よりも容量が小さくなるが（概ね、頭部・胸部保護用バッグ１６の容量は、膝部保護用バッグ２０の容量の８倍から１２倍程度）、前記のように開口面積の大小関係を設定しておけば、バッグの容量に応じた開口面積の設定が可能となり、膝部保護用バッグ２０の先行展開を確保しつつ、共通のインフレータ２６のガス発生量を効率良く利用することができる。その結果、本実施形態によれば、膝部保護用バッグ２０の先行展開を確保しつつ、インフレータ２６の有効利用率を高めてインフレータ２６の小型軽量化及びコスト削減を図ることができる。
【００４１】
なお、上述した本実施形態では、ディフューザ２８を有底円筒形状にしたが、これに限らず、種々の形状及び構造を採用することが可能である。例えば、モジュールケース２４を略箱体形状とし、底部中央にインフレータの下部が納まる凹部を形成する一方で、上方側からインフレータの上部側へ被嵌されると共にモジュールケースの底壁部に固定され、モジュールケースの凹部とでインフレータを挟持する略半円筒形状のディフューザを用いてもよい。この場合においても、ガス噴出孔に対して近接した位置に第２整流用開口部が配置され、これよりも離間した位置に第１整流用開口部が配置されていればよい。
【００４３】
また、前述した如く、インフレータの形式としてはガスボンベタイプ以外にもガス発生剤充填タイプも適用可能であるが、ガス発生剤充填タイプの場合にはガス噴出孔が長手方向の中央部に形成されたり、他の箇所に形成されたりするので、それに合わせてディフューザの膝部保護用バッグへのガス供給用の第２整流用開口部の位置を変更すればよい。
【図面の簡単な説明】
【００４４】
【図１】本実施形態に係る膝部保護用バッグ一体型助手席用エアバッグ装置の要部に係るディフューザ、インフレータ、キャップの分解斜視図である。
【図２】本実施形態に係る膝部保護用バッグ一体型助手席用エアバッグ装置の全体構成を示す側面図である。
【図３】図１に示されるディフューザ、インフレータ、キャップの組付状態の平面図である。
【符号の説明】
【００４５】
１０      膝部保護用バッグ一体型助手席用エアバッグ装置
１２      助手席
１４      インストルメントパネル
１４Ａ      上面部
１４Ｂ      後面部
１６      頭部・胸部保護用バッグ
１８      第１のバッグ膨出用開口部
２０      膝部保護用バッグ
２２      第２のバッグ膨出用開口部
２４ モジュールケース
２４Ａ 後壁部
２４Ｂ 底壁部
２６      インフレータ
２８      ディフューザ（整流手段）
３０ 助手席用エアバッグ
３２      ガス噴出孔
３４      第１整流用開口部
３６      第２整流用開口部
４０ 膨出用開口部
【図１】
0004640053.tif 000002
【図２】
0004640053.tif 000003
【図３】
0004640053.tif 000004